(57)【要約】【課題】異種金属同士の電気的な接続を良好に行うことが可能な、また、電気的な接続部分を確実に止水することが可能な端子金具と、この端子金具を構成に含むワイヤハーネスと、端子金具の製造方法とを提供する。【解決手段】端子金具３６は、アルミ電線に対する電線接続部分が底部３９を有する有底筒状のクローズドバレル部３７として形成される。クローズドバレル部３７の少なくとも内面には、樹脂コーティング部ＲＣが形成される。この樹脂コーティング部ＲＣは、絶縁性を有する樹脂材のコーティングにて形成される。樹脂コーティング部ＲＣには、導体接触部４２が形成される。樹脂コーティング部ＲＣに関し、クローズドバレル部３７の底部３９の反対側に位置する開口部４０側の樹脂コーティング部ＲＣは、絶縁体の外周面に対する密着部分４３として形成される。【選択図】図５
2016136458.tif 000002
【特許請求の範囲】
【請求項１】
アルミニウム又はアルミニウム合金製の撚り線導体と、該撚り線導体を覆う絶縁体とを備えるアルミ電線が接続対象に含まれ、該アルミ電線に対する電線接続部分が底部を有する有底筒状のクローズドバレル部として形成され、且つ、材質が前記撚り線導体と異種金属になる端子金具において、
前記クローズドバレル部の少なくとも内面には、絶縁性を有する樹脂材のコーティングにて樹脂コーティング部が形成され、
前記クローズドバレル部の前記底部側に位置する前記樹脂コーティング部には、該樹脂コーティング部から前記クローズドバレル部が露出して前記撚り線導体に接触する導体接触部が形成され、
前記クローズドバレル部の前記底部の反対側に位置する開口部側の前記樹脂コーティング部は、前記絶縁体の外周面に対する密着部分として形成される
ことを特徴とする端子金具。
【請求項２】
請求項１に記載の端子金具において、
前記導体接触部は、前記撚り線導体の挿入軸に対して斜めに交差する方向の溝、又は、前記挿入軸に対して直交方向に交差する方向の溝になるように、前記樹脂コーティング部及び前記内面を凹ませて形成される
ことを特徴とする端子金具。
【請求項３】
請求項１又は２に記載の端子金具において、
前記クローズドバレル部の前記内面は、前記底部側よりも前記開口部側の方が大径になる段付き形状に形成される
ことを特徴とする端子金具。
【請求項４】
一又は複数本の導電路を含んで構成され、且つ、自動車に配索されて電気的な接続を行うワイヤハーネスにおいて、
前記導電路一本は、複数に分割された分割導電路と、一又は複数有して隣り合う前記分割導電路同士を繋ぐ導電性の繋ぎ部材と、前記分割導電路及び前記繋ぎ部材を接続するための請求項１、２又は３に記載の端子金具とを含んで構成される
ことを特徴とするワイヤハーネス。
【請求項５】
アルミニウム又はアルミニウム合金製の撚り線導体と、該撚り線導体を覆う絶縁体とを備えるアルミ電線が接続対象に含まれ、該アルミ電線に対する電線接続部分が底部を有する有底筒状のクローズドバレル部として形成され、且つ、材質が前記撚り線導体と異種金属になる端子金具の製造方法において、
前記クローズドバレル部に係る第一形成工程では、前記クローズドバレル部の少なくとも内面を絶縁性を有する樹脂材にてコーティングすることにより樹脂コーティング部が形成され、
第二形成工程では、前記クローズドバレル部の前記底部側に位置する前記樹脂コーティング部から前記クローズドバレル部を露出させることにより導体接触部が形成される
ことを特徴とする端子金具の製造方法。
【発明の詳細な説明】
【技術分野】
【０００１】
本発明は、電線接続部分がクローズドバレル部として形成される端子金具と、自動車に配索されて電気的な接続を行うワイヤハーネスと、端子金具の製造方法とに関する。
【背景技術】
【０００２】
下記特許文献１に開示された端子金具は、銅合金製のものであって、アルミ電線の端末に設けられる。アルミ電線は、アルミニウム製の撚り線導体と、この撚り線導体を被覆する絶縁体とを備えて構成される。そして、アルミ電線の端末から撚り線導体を所定長さで露出させ、この露出部分に対して上記端子金具が取り付けられる。具体的には、端子金具に有底筒状のクローズドバレル部を形成し、このクローズドバレル部に撚り線導体を挿入し、挿入後はクローズドバレル部の中間に、この外側から内側に向けて加締めを施すことで圧着により取り付けられる。アルミ電線の端末への端子金具の取り付け後は、クローズドバレル部の中間の圧着部分と、アルミ電線の絶縁体の外周面とに跨るように熱収縮チューブが設けられて、外部からの水分の浸入が阻止される。すなわち止水される。尚、上記からも分かるように、異種金属同士の接続であることから、電食の発生防止のために上記止水が必要になる。そのため、熱収縮チューブが設けられる。
【先行技術文献】
【特許文献】
【０００３】
【特許文献１】特開２００９−２３０９９７号公報
【発明の概要】
【発明が解決しようとする課題】
【０００４】
上記従来技術にあっては、アルミ撚り線導体とクローズドバレル部との電気的な接続にあたり、アルミ撚り線導体に生じる酸化被膜を破壊する必要がある。本願発明者は、電気的な接続を良好にするために構造上の工夫が必要であると考えている。尚、特許文献１では、熱収縮チューブを用いて止水をしているが、できるだけ簡素で且つ確実に止水をすることが重要である。
【０００５】
本発明は、上記した事情に鑑みてなされたもので、異種金属同士の電気的な接続を良好に行うことが可能な、また、電気的な接続部分を確実に止水することが可能な端子金具と、この端子金具を構成に含むワイヤハーネスと、端子金具の製造方法とを提供することを課題とする。
【課題を解決するための手段】
【０００６】
上記課題を解決するためになされた請求項１に記載の本発明は、アルミニウム又はアルミニウム合金製の撚り線導体と、該撚り線導体を覆う絶縁体とを備えるアルミ電線が接続対象に含まれ、該アルミ電線に対する電線接続部分が底部を有する有底筒状のクローズドバレル部として形成され、且つ、材質が前記撚り線導体と異種金属になる端子金具において、前記クローズドバレル部の少なくとも内面には、絶縁性を有する樹脂材のコーティングにて樹脂コーティング部が形成され、前記クローズドバレル部の前記底部側に位置する前記樹脂コーティング部には、該樹脂コーティング部から前記クローズドバレル部が露出して前記撚り線導体に接触する導体接触部が形成され、前記クローズドバレル部の前記底部の反対側に位置する開口部側の前記樹脂コーティング部は、前記絶縁体の外周面に対する密着部分として形成されることを特徴とする。
【０００７】
このような特徴を有する本発明によれば、撚り線導体を露出させた状態の電線端末をクローズドバレル部に挿入し、そして、このクローズドバレル部に対して加締めを施すと、加締めの作用によりクローズドバレル部の内面では撚り線導体の酸化被膜が破壊され、導体接触部が撚り線導体に接触する。従って、本発明によれば、異種金属同士の電気的な接続を良好に行うことができる。また、本発明によれば、クローズドバレル部の内面に樹脂コーティング部が形成されることから、この樹脂コーティング部を絶縁体の外周面に対して密着させることができる。従って、水分の浸入を阻止することができる。
【０００８】
尚、本発明に関し、特許請求の範囲に記載された「撚り線導体」に限らず、例えば「棒状導体」も含めて「導体」として特徴づけると、請求項１は以下（１）のような特徴になる。すなわち、
（１）アルミニウム又はアルミニウム合金製の導体と、該導体を覆う絶縁体とを備えるアルミ電線が接続対象に含まれ、該アルミ電線に対する電線接続部分が底部を有する有底筒状のクローズドバレル部として形成され、且つ、材質が前記導体と異種金属になる端子金具において、
前記クローズドバレル部の少なくとも内面には、絶縁性を有する樹脂材のコーティングにて樹脂コーティング部が形成され、
前記クローズドバレル部の前記底部側に位置する前記樹脂コーティング部には、該樹脂コーティング部から前記内面が露出して前記導体に接触する導体接触部が形成され、
前記クローズドバレル部の前記底部の反対側に位置する開口部側の前記樹脂コーティング部は、前記絶縁体の外周面に対する密着部分として形成される。
【０００９】
また、請求項２に記載の本発明は、請求項１に記載の端子金具において、前記導体接触部は、前記撚り線導体の挿入軸に対して斜めに交差する方向の溝、又は、前記挿入軸に対して直交方向に交差する方向の溝になるように、前記樹脂コーティング部及び前記内面を凹ませて形成されることを特徴とする。
【００１０】
このような特徴を有する本発明によれば、クローズドバレル部に対して加締めを施すと、クローズドバレル部の内面において溝状の導体接触部との接触や摩擦が生じ、結果、撚り線導体の酸化被膜を確実に破壊することができる。
【００１１】
また、請求項３に記載の本発明は、請求項１又は２に記載の端子金具において、前記クローズドバレル部の前記内面は、前記底部側よりも前記開口部側の方が大径になる段付き形状に形成されることを特徴とする。
【００１２】
このような特徴を有する本発明によれば、電線端末の形状（所定長さで絶縁体を除去して撚り線導体を露出させた状態の形状）に合わせたクローズドバレル部になることから、クローズドバレル部に対して加締めを施すと、圧着状態等を安定させることができる。
【００１３】
また、上記課題を解決するためになされた請求項４に記載の本発明は、一又は複数本の導電路を含んで構成され、且つ、自動車に配索されて電気的な接続を行うワイヤハーネスにおいて、前記導電路一本は、複数に分割された分割導電路と、一又は複数有して隣り合う前記分割導電路同士を繋ぐ導電性の繋ぎ部材と、前記分割導電路及び前記繋ぎ部材を接続するための請求項１、２又は３に記載の端子金具とを含んで構成されることを特徴とする。
【００１４】
このような特徴を有する本発明によれば、請求項１、２又は３に記載の端子金具を用いて分割導電路及び繋ぎ部材を接続することにより、一本の導電路を形成することができる。そして、このような導電路を備えて自動車用のワイヤハーネスとして用いれば、ワイヤハーネスの構成において、異種金属同士の電気的な接続を良好にし、また、電気的な接続部分を確実に止水することができる。
【００１５】
また、上記課題を解決するためになされた請求項５に記載の本発明は、アルミニウム又はアルミニウム合金製の撚り線導体と、該撚り線導体を覆う絶縁体とを備えるアルミ電線が接続対象に含まれ、該アルミ電線に対する電線接続部分が底部を有する有底筒状のクローズドバレル部として形成され、且つ、材質が前記撚り線導体と異種金属になる端子金具の製造方法において、前記クローズドバレル部に係る第一形成工程では、前記クローズドバレル部の少なくとも内面を絶縁性を有する樹脂材にてコーティングすることにより樹脂コーティング部が形成され、第二形成工程では、前記クローズドバレル部の前記底部側に位置する前記樹脂コーティング部から前記クローズドバレル部を露出させることにより導体接触部が形成されることを特徴とする。
【００１６】
このような特徴を有する本発明によれば、請求項１に記載の端子金具を製造することができる。従って、異種金属同士の電気的な接続を良好に行うことが可能な、また、電気的な接続部分を確実に止水することが可能な端子金具を製造することができる。
【発明の効果】
【００１７】
請求項１に記載された本発明によれば、異種金属同士の電気的な接続を良好に行うことができるという効果や、電気的な接続部分を確実に止水することができるという効果を奏する。また、請求項２に記載された本発明によれば、電気的な接続をより一層良好に行うことができるという効果を奏する。また、請求項３に記載された本発明によれば、電気的な接続状態や止水状態を安定させることができるという効果を奏する。
【００１８】
請求項４に記載された本発明によれば、ワイヤハーネスの構成において、異種金属同士の電気的な接続を良好にし、また、電気的な接続部分を確実に止水することができるという効果を奏する。また、請求項５に記載された本発明によれば、異種金属同士の電気的な接続を良好に行うことが可能な、また、電気的な接続部分を確実に止水することが可能な端子金具を製造ことができるという効果を奏する。
【図面の簡単な説明】
【００１９】
【図１】本発明のワイヤハーネスを示す図であり、（ａ）は高電圧のワイヤハーネスの配索状態を示す模式図、（ｂ）は（ａ）とは別の低電圧のワイヤハーネスの配索状態を示す模式図である。
【図２】図１のワイヤハーネスの導電路を示す図である。
【図３】図２の導電路の断面図であり、（ａ）はＡ−Ａ線断面図、（ｂ）はＢ−Ｂ線断面図であである。
【図４】図２の端子金具を示す図であり、（ａ）は平面図、（ｂ）は加締め範囲を示す図である。
【図５】図２及び図４の端子金具の断面図（円内は要部拡大図）である。
【図６】端子金具の他の例を示す図であり、（ａ）は平面図、（ｂ）は断面図である。
【図７】導電路を配索経路に合わせた形状にした時の状態を示す模式図である。
【図８】ワイヤハーネスに係る模式図であり、（ａ）は梱包状態及び輸送状態の例を示す図、（ｂ）は配索状態の例を示す図である。
【発明を実施するための形態】
【００２０】
端子金具は、アルミ電線に対する電線接続部分が底部を有する有底筒状のクローズドバレル部として形成される。クローズドバレル部の少なくとも内面には、樹脂コーティング部が形成される。この樹脂コーティング部は、絶縁性を有する樹脂材のコーティングにて形成される。樹脂コーティング部には、導体接触部が形成される。樹脂コーティング部に関し、クローズドバレル部の底部の反対側に位置する開口部側の樹脂コーティング部は、絶縁体の外周面に対する密着部分として形成される。
【実施例】
【００２１】
以下、図面を参照しながら実施例を説明する。図１は本発明のワイヤハーネスを示す図であり、（ａ）は高電圧のワイヤハーネスの配索状態を示す模式図、（ｂ）は（ａ）とは別の低電圧のワイヤハーネスの配索状態を示す模式図である。また、図２は図１のワイヤハーネスの導電路を示す図、図３は図２の導電路の断面図、図４は図２の端子金具を示す図、図５は図２及び図４の端子金具の断面図、図６は端子金具の他の例を示す図、図７は導電路を配索経路に合わせた形状にした時の状態を示す模式図である。さらに、図８はワイヤハーネスに係る模式図であり、（ａ）は梱包状態及び輸送状態の例を示す図、（ｂ）は配索状態の例を示す図である。
【００２２】
本実施例においては、ハイブリッド自動車（電気自動車やエンジンで走行する一般的な自動車等であってもよいものとする）に配索されるワイヤハーネスに対し本発明を採用する。
【００２３】
＜ハイブリッド自動車１について＞
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００２４】
モータユニット３とインバータユニット４は、高圧の（高電圧用の）ワイヤハーネス８により接続される。また、バッテリー５とインバータユニット４も高圧のワイヤハーネス９により接続される。ワイヤハーネス９は、この中間部１０が車両における（車体における）車両床下１１に配索される。また、中間部１０は、車両床下１１に沿って略平行に配索される。車両床下１１は、公知のボディ（車体）であるとともに所謂パネル部材であって、所定位置には貫通孔が形成される。この貫通孔には、ワイヤハーネス９が水密に挿通される。
【００２５】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００２６】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりなる。尚、例えばキャパシタのような蓄電装置を使用することも可能である。バッテリー５は、ハイブリッド自動車１や電気自動車に使用可能であれば特に限定されないのは勿論である。
【００２７】
図１（ｂ）において、引用符号１５はワイヤハーネスを示す。ワイヤハーネス１５は、低圧の（低電圧用の）ものであって、ハイブリッド自動車１における自動車後部７の低圧バッテリー１６と、自動車前部１７に搭載される補器１８（機器）とを電気的に接続するために備えられる。ワイヤハーネス１５は、図１（ａ）のワイヤハーネス９と同様に、車両床下１１を通って配索される（一例であり、車室側を通って配索されてもよいものとする）。
【００２８】
図１（ａ）及び（ｂ）に示す如く、ハイブリッド自動車１には、高圧のワイヤハーネス８、９及び低圧のワイヤハーネス１５が配策される。本発明は、いずれのワイヤハーネスであっても適用可能であるが、代表例として低圧のワイヤハーネス１５を挙げて以下に説明をする。
【００２９】
＜ワイヤハーネス１５について＞
図１（ｂ）において、車両床下１１を通って配索される長尺なワイヤハーネス１５は、ハーネス本体１９と、このハーネス本体１９の両端末にそれぞれ配設されるコネクタ２０（外部接続手段）とを備えて構成される。また、ワイヤハーネス１５は、所定位置に配索するための固定部材（例えば図８に示すクランプＣ等）と、図示しない止水部材（例えばグロメット等）とを備えて構成される。
【００３０】
＜ワイヤハーネス１５の構成について＞
ハーネス本体１９は、一又は複数本の導電路２１（図２参照）と、この一又は複数本の導電路２１を収容保護するための外装部材２２（図８参照）とを備えて構成される。尚、導電路２１の本数に関し、本実施例においては二本であるが、これは一例であるものとする。また、外装部材２２の構成及び構造に関し、高圧のワイヤハーネス９を一緒に収容保護するようなものを採用してもよいものとする。
【００３１】
先ず、ハーネス本体１９における導電路２１の構成及び構造について、図面を参照しながら説明をする。
【００３２】
＜導電路２１について＞
図２において、導電路２１は、この一本が次のように構成される。すなわち、導電路２１は、本実施例の図示した分で見ると、複数に分割された分割導電路２３（２３ａ〜２３ｄ）と、隣り合う分割導電路２３同士を繋ぐ複数の繋ぎ部材２４（２４ａ〜２４ｃ）と、分割導電路２３及び繋ぎ部材２４の直接的な接続部分になる導電路接続部２５と、導電路２１の各端末に設けられるコネクタ端子２６とを含んで構成される。導電路２１は、図２では分かり難いが長尺なものである。
【００３３】
＜導電路２１と一般的な導電路との相違点について＞
導電路２１は、本実施例において、四つ以上の分割導電路２３と、この分割導電路２３の数から１をマイナスした数の繋ぎ部材２４とを有する。従って、本実施例の導電路２１は、多くの構成からなり、単なる一本構成の導電路ではないことが分かる。また、導電路２１は、例えばメインとなる第一の導電路と、この第一の導電路の両端に接続される第二の導電路とを有するような三分割構成の導電路でもないことが分かる。さらに、導電路２１は、以下の説明で分かるようになるが、車両床下１１（図１参照）に沿って配索される範囲内において少なくとも一箇所、繋ぎ部材２４が配置されるような導電路、すなわち上記範囲内において単なる一本構成の導電路でもないことが分かる。
【００３４】
＜分割導電路２３について＞
図２ないし図４において、分割導電路２３（２３ａ〜２３ｄ）は、導電路２１の大半を占める部分として形成される。このような分割導電路２３は、本体部２７と、本体部２７の両端に位置する接続端２８（図４参照）とを含んで構成される。本体部２７は、導電性の棒状導体２９と、この棒状導体２９を被覆する絶縁性の絶縁体３０とを備えて構成される。接続端２８は、繋ぎ部材２４との接続部分として形成される。接続端２８は、本体部２７の端末の絶縁体３０を所定長さで除去して棒状導体２９を露出させることにより形成される。
【００３５】
分割導電路２３（本体部２７）は、配索経路に沿った形状の保持に必要となる長さに形成される。すなわち、分割導電路２３ａ〜２３ｄは、各々適宜長さで形成される。本実施例においては、分割導電路２３ｂ、２３ｃが車両床下１１に沿って配索されるような長さに形成される。このような分割導電路２３ｂ、２３ｃは、残りの分割導電路２３ａ、２３ｄよりも比較的長い状態に形成される。
【００３６】
棒状導体２９は、銅や銅合金、或いはアルミニウムやアルミニウム合金により製造される。本実施例においては、安価且つ軽量であるというメリットを有するアルミニウム製のものが採用される（一例である）。棒状導体２９は、断面円形状の丸棒線として形成される（又は断面矩形状の角棒線として形成される）。棒状導体２９は、真っ直ぐな形状になるように形成される。尚、丸棒線（又は角棒線）は、丸単心線（又は平角単心線）と呼ばれることもある。棒状導体２９は、配索経路に沿った形状の保持が可能な剛性を有するように形成される。棒状導体２９の剛性は、多少の外力が加わったとしも塑性変形が維持されるような剛性であって、そのため繋ぎ部材２４の後述する撚り線導体３３と比較すると、棒状導体２９は硬いものになる。
【００３７】
棒状導体２９は、形状の保持が可能な剛性を有すれば特に限定されないものとする。例えば堅い撚り線導体であってもよいものとする。
【００３８】
絶縁体３０は、熱可塑性樹脂材料を用いて棒状導体２９の外周面に押出成形することにより断面円形状の被覆として形成される。又は、公知の熱収縮チューブを用いて棒状導体２９の外周面を覆う被覆として形成される。絶縁体３０は、所定の厚みを有して形成される。尚、上記熱可塑性樹脂としては、公知の様々な種類のものが使用可能であるものとする。例えば、ポリ塩化ビニル樹脂やポリエチレン樹脂、ポリプロピレン樹脂などの高分子材料から適宜選択されるものとする。
【００３９】
＜繋ぎ部材２４（アルミ電線）について＞
繋ぎ部材２４（２４ａ〜２４ｃ）は、本体部３１と、この本体部３１の両端に位置する接続端３２（図４参照）とを含んで構成される。繋ぎ部材２４は、分割導電路２３よりも剛性が低く縮み可能で所定方向に曲げ可能な部材として形成される。繋ぎ部材２４は、特許請求の範囲に記載されたアルミ電線に相当する。
【００４０】
本体部３１は、導電性で柔軟性のある撚り線導体３３と、この撚り線導体３３を被覆する絶縁性の被覆部３４（絶縁体）とを備えて構成される。繋ぎ部材２４は、以下で説明する機能を発揮させるために必要となる長さに形成される。また、機能を発揮させるために必要な位置に配置される。本実施例の繋ぎ部材２４（本体部３１）は、分割導電路２３よりも短く形成される。また、繋ぎ部材２４は、導電路２１に占める割合が小さくなるような長さに形成される。
【００４１】
接続端３２（図４参照）は、分割導電路２３との接続部分（繋ぎ部分）として形成される。接続端３２は、本実施例において、本体部３１の端末の被覆部３４を所定長さで除去して撚り線導体３３を露出させることにより形成される。
【００４２】
繋ぎ部材２４は、二方向又は３６０度方向の曲げが可能に形成される。具体的には、例えば上方向と下方向とに曲げが可能、又は、左方向と右方向とに曲げが可能、さらには、３６０度方向に曲げが可能に形成される。尚、例えば表面側で後ろ方向への折り曲げと、裏面側で後ろ方向への折り曲げとが可能になるように、又は、表面側で斜め前方向への曲げと、裏面側で斜め前方向への曲げとが可能になるように形成されてもよいものとする。繋ぎ部材２４は、様々な曲げが可能に形成される。
【００４３】
繋ぎ部材２４（２４ａ〜２４ｃ）は、次のような機能を発揮させる手段として適用される。具体的には、曲げ手段、折り曲げ手段、寸法誤差吸収手段、共振回避手段、振動吸収手段として適用される。
【００４４】
繋ぎ部材２４が曲げ手段として適用される場合には、上記二方向又は３６０度方向の曲げ（曲げ戻しも容易な曲げ）が可能になるという機能が発揮される。また、折り曲げ手段として適用される場合には、ハイブリッド自動車１への配索前の梱包時や輸送時におけるコンパクト化が可能になるという機能が発揮される。また、寸法誤差吸収手段として適用される場合には、配索時における寸法誤差の吸収が可能になるという機能が発揮される。また、共振回避手段として適用される場合には、配索後における共振の回避が可能になるという機能が発揮される。また、振動吸収手段として適用される場合には、配索後における振動の吸収が可能になるという機能が発揮される。
【００４５】
撚り線導体３３は、銅や銅合金、或いはアルミニウムやアルミニウム合金により製造される。本実施例においては、安価且つ軽量であるというメリットを有するアルミニウム製のものが採用される（一例である）。撚り線導体３３は、複数の素線３５を撚り合わせて断面円形状に形成される。撚り線導体３３は、この断面積が分割導電路２３の棒状導体２９の断面積と合うように素線３５の径や本数等が設定される。撚り線導体３３は、棒状導体２９よりも低い剛性で柔軟性を有するように形成される。
【００４６】
被覆部３４は、熱可塑性樹脂材料を用いて撚り線導体３３の外周面に押出成形することにより断面円形状の被覆（絶縁体）として形成される。被覆部３４は、所定の厚みを有して形成される。尚、上記熱可塑性樹脂としては、公知の様々な種類のものが使用可能であるものとする。例えば、ポリ塩化ビニル樹脂やポリエチレン樹脂、ポリプロピレン樹脂などの高分子材料から適宜選択されるものとする。
【００４７】
＜導電路接続部２５について＞
図２、図４、及び図５において、導電路接続部２５は、本発明に係る端子金具３６を含んで構成される（尚、図６のものが採用される場合は、ボルト及びナットが導電路接続部２５の構成に含まれるものとする）。導電路接続部２５は、上記の如く、分割導電路２３及び繋ぎ部材２４の直接的な接続部分として形成される。導電路接続部２５による接続は、端子金具３６が機能する。
【００４８】
＜本発明に係る端子金具３６について＞
端子金具３６は、銅又は銅合金製の丸パイプを加工して製造される（一例であり、例えば鋳造により製造してもよいものとする）。端子金具３６は、分割導電路２３の接続端２８及び繋ぎ部材２４の接続端３２に対し異種金属になるが、電気的な接続を良好に行うことができるように、また、電気的な接続部分を確実に止水することができるように形成される。端子金具３６は、この一端及び他端に設けられる一対のクローズドバレル部３７と、一対のクローズドバレル部３７を連結する連結部３８とを有する。
【００４９】
＜クローズドバレル部３７について＞
クローズドバレル部３７は、上記の如く、端子金具３６の一端及び他端にそれぞれ設けられる。一端及び他端のクローズドバレル部３７は、本実施例において同じ形状に形成される。尚、分割導電路２３の接続端２８及び繋ぎ部材２４の接続端３２に合わせてサイズのみを異ならせてもよいものとする。本実施例においては、接続作業時の方向性が制約されないように同じ形状で同じサイズに形成される。
【００５０】
クローズドバレル部３７は、分割導電路２３の接続端２８及び繋ぎ部材２４の接続端３２に対する電線接続部分であって、断面円形の有底筒状に形成される。具体的には、底部３９と、この底部３９の反対側に位置する開口部４０と、段部４１とを有して、図示のような先細りの有底円筒状に形成される（別な言い方をすれば、外観視略砲弾形状に形成される）。クローズドバレル部３７には、分割導電路２３の接続端２８及び繋ぎ部材２４の接続端３２の挿入が可能な内部空間（符号省略）が形成される。このようなクローズドバレル部３７の内面及び外面には（少なくとも内面には）、樹脂コーティング部ＲＣが形成される。また、樹脂コーティング部ＲＣには、導体接触部４２と、密着部分４３とが形成される。樹脂コーティング部ＲＣ、導体接触部４２、及び密着部分４３は、本発明の特徴部分として形成される。
【００５１】
クローズドバレル部３７は、上記の如く段部４１を有しており、底部３９側よりも開口部４０側の方が内面及び外面（内周面及び外周面）が大径になるような段付き形状に形成される。クローズドバレル部３７は、小径部分が棒状導体２９及び撚り線導体３３に対する挿入部分・電気的接続部分として、また、大径部分が絶縁体３０及び被覆部３４に対する挿入部分・保持部分・止水部分として形成される。尚、後述するが、樹脂コーティング部ＲＣにおける密着部分４３は、止水部分として形成される。
【００５２】
＜樹脂コーティング部ＲＣについて＞
樹脂コーティング部ＲＣは、絶縁性を有する樹脂材のコーティングにて形成される。本実施例においては、絶縁性を有する樹脂材を満たした絶縁樹脂槽（図示省略）に端子金具３６をドブ漬け（ジャブ漬け）することにより、例えば図示の状態に形成される（一例であり、端子金具３６全体をコーティングしてもよいものとする）。樹脂コーティング部ＲＣは、均一で薄い膜状の部分に形成される。すなわち、絶縁被膜のような部分に形成される。尚、上記の樹脂材料は、分割導電路２３の絶縁体３０及び繋ぎ部材２４の被覆部３４との密着がし易ければ特に限定されないものとする（但し、後述する加締めを施した時に容易に剥がれ落ちたりしないものや、水分の通路が形成されたりしないものが好ましい）。
【００５３】
＜導体接触部４２について＞
導体接触部４２は、樹脂コーティング部ＲＣの形成工程の後に形成される。導体接触部４２は、クローズドバレル部３７の底部３９側に形成される。具体的には、底部３９の先細りする部分と段部４１との間に位置するストレートな管状の部分の樹脂コーティング部ＲＣに形成される。導体接触部４２は、樹脂コーティング部ＲＣからクローズドバレル部３７が露出するように形成される。導体接触部４２は、本実施例において、所謂セレーション状に形成される（一例であるものとする）。導体接触部４２は、中心線ＣＬ（撚り線導体３３の挿入軸と同じ）に対し斜めに交差する方向の溝として形成される。具体的には、例えば螺旋状の溝（雌ねじ形状の溝、又は、斜め形状のものが並列する溝を含む）として形成される。また、導体接触部４２は、挿入された分割導電路２３の接続端２８（棒状導体２９）及び繋ぎ部材２４の接続端３２（撚り線導体３３）に対して接触する溝として形成される。さらに、導体接触部４２は、棒状導体２９及び撚り線導体３３に生じる酸化被膜を破壊する部分として形成される。導体接触部４２は、特に図示しないが、例えばタップ加工により形成される。
【００５４】
＜密着部分４３について＞
密着部分４３は、クローズドバレル部３７の開口部４０側の内面をコーティングした部分が該当するように形成される。具体的には、開口部４０と段部４１との間に位置する大径のストレートな管状の部分の内面をコーティングした部分が該当するように形成される。密着部分４３は、止水性能を発揮させる部分として形成される。
【００５５】
＜クローズドバレル部３７に対する加締めについて＞
以上のようなクローズドバレル部３７に対し、分割導電路２３の接続端２８及び繋ぎ部材２４の接続端３２がそれぞれ挿入された後に、図４（ｂ）の仮想線で示すような範囲に加締めが施される。すなわち、加締め範囲Ｄに加締めが施される。尚、ここで言う加締めとは、クローズドバレル部３７を内方へ加圧して、クローズドバレル部３７における導体接触部４２が分割導電路２３の棒状導体２９及び繋ぎ部材２４の撚り線導体３３に対して電気的に接触するような圧着を生じさせる加工を指すものとする。
【００５６】
＜連結部３８について＞
連結部３８は、上記の如く、一対のクローズドバレル部３７を連結する部分として形成される。連結部３８は、丸パイプを潰して略帯板状の部分になるように形成される。尚、特に図示しないが、連結部３８の中央に貫通孔をあけて、例えば端子台にボルト固定されるような形状にしてもよいものとする。また、連結部３８に替えて、図６に示すような貫通孔４４を有する板状の電気接触部４５にしてもよいものとする。
【００５７】
＜導電路接続部２５の絶縁に関して＞
導電路接続部２５の絶縁に関し端子金具３６の部分は、外装部材２２（後述する樹脂製のコルゲートチューブや樹脂製のプロテクタＰ）に覆われて絶縁される。また、端子金具３６は樹脂コーティング部ＲＣを有することから、この部分においても絶縁される。尚、樹脂コーティング部ＲＣ以外に絶縁のための手段が必要であれば、一例としてテープ巻きや熱収縮チューブ等の絶縁部材を使用することが挙げられる。
【００５８】
＜コネクタ端子２６について＞
図２に戻り、コネクタ端子２６は、上記の如く、導電路２１の各端末に設けられる。具体的には、分割導電路２３ａ及び２３ｄの各端末に設けられる。コネクタ端子２６は、公知の端子金具であって、コネクタ２０（図１及び図８参照）のコネクタハウジング４６に収容保持される。
【００５９】
＜配索経路の形状について＞
次に、上記構成及び構造に基づき、導電路２１によって形成される配索経路の形状について説明をする。尚、配索経路の形状の説明にあたっては、便宜上、外装部材２２の図示を省略するものとする（外装部材２２に関しては後述する）。
【００６０】
図７において、ここでは分割導電路２３ａと、長尺な分割導電路２３ｂと、これらを繋ぐ繋ぎ部材２４ａ及び端子金具３６とが図示される。分割導電路２３ａは、この中間が曲げられて形状が保持される。分割導電路２３ａは、これを構成する棒状導体２９が塑性変形することにより、所定の曲げ形状が保持される。長尺な分割導電路２３ｂは、この一端側が曲げられて形状が保持される。一端側の曲げは、上記同様、棒状導体２９が塑性変形することにより、所定の曲げ形状が保持される。長尺な分割導電路２３ｂの中間は、車両床下１１に沿って配索される。繋ぎ部材２４ａは、例えば配索時において、導電路２１の端末側の取り回しをし易くするための曲げ手段として適用される。また、繋ぎ部材２４ａは、配策後の例えば走行中において、振動を吸収する振動吸収手段として適用される。
【００６１】
＜外装部材２２について＞
続いて、図８を参照しながら、外装部材２２について説明をする。
【００６２】
図８において、外装部材２２は、導電路２１を収容保護するための樹脂成形品である。外装部材２２は、本実施例において、公知のコルゲートチューブが採用される。コルゲートチューブである外装部材２２は、管軸に直交する方向の断面形状が丸形に形成される（一例であり、例えば長円形状や楕円形状等の平形であってもよいものとする）。外装部材２２は、この全体が可撓性を有するように形成される。外装部材２２はコルゲートチューブであることから、蛇腹管形状に形成される。具体的には、周方向の蛇腹凹部４７及び蛇腹凸部４８を有するとともに、これら蛇腹凹部４７及び蛇腹凸部４８が管軸方向に交互に連続するように形成される。
【００６３】
このような外装部材２２の所定位置には、クランプＣが組み付けられる。クランプＣは、外装部材２２の形状（蛇腹管形状）に合わせて形成される管体取付部４９と、この管体取付部４９に連続する片持ち形状の固定部５０とを有する。固定部５０には、ボルト挿通孔５１が形成される。
【００６４】
尚、本実施例では、外装部材２２としてコルゲートチューブが採用されるが、これに限らないものとする。例えば、上記コルゲートチューブと樹脂製のプロテクタＰ（図２参照）との組み合わせで採用したり、プロテクタＰを単独で採用したりしてもよいものとする。柔軟性を持たせたい部分をコルゲートチューブで確保しつつ、逆に経路規制をしたい部分はプロテクタＰの組み付けで対応すればよい。また、例えば曲げ等を行った後に、この曲げ形状を保持するためにプロテクタＰを組み付けて対応してもよい。プロテクタＰの組み付け位置は、例えば繋ぎ部材２４と、この近傍部分とを覆うような位置が一例として挙げられる（分割導電路２３の方に組み付けてもよいものとする）。プロテクタＰは、経路規制に限らず、飛び石や縁石等への乗り上げに対する補強部分としても有効である。コルゲートチューブやプロテクタＰ以外としては、所望の範囲を巻き付けて覆うシート部材等も有効である。
【００６５】
＜ワイヤハーネス１５の製造、輸送、及び経路配索について＞
続いて、ワイヤハーネス１５の製造、輸送、及び経路配索について説明をする。
【００６６】
図８において、ワイヤハーネス１５は、先ず、全体が略直線状に樹脂成形された外装部材２２に導電路２１を挿通してハーネス本体１９を製造する。次に、導電路２１の両端末にコネクタ２０を設け、最後に、外装部材２２の所定位置にクランプＣやその他の後付部品を組み付けると製造が完了する。
【００６７】
ワイヤハーネス１５の製造後は所定の位置で（例えば、繋ぎ部材２４ａ、２４ｃに対応する位置で）折り畳むように曲げをすると、ワイヤハーネス１５は端末側の部分と中間部分とが略平行な状態に対向配置される（図８（ａ）参照）。このような配置状態にすることにより、ワイヤハーネス１５の全長が短くなるとともに、ワイヤハーネス１５は最小限の幅で梱包される。すなわち、ワイヤハーネス１５の全体はコンパクトな状態で梱包される。そして、このコンパクトな状態のままでワイヤハーネス１５は輸送される。
【００６８】
輸送後、梱包状態が解かれると、ワイヤハーネス１５は製造後と同じ状態になる。そしてこの後に、ワイヤハーネス１５はボルト挿通孔５１に挿通されたボルト５２を介して車両床下１１等の固定対象５３に取り付け固定される（固定対象５３の形状は一例である）。ワイヤハーネス１５は、固定対象５３に対して取り付け固定されると、図示の如く所定の経路配索が完了する。経路配索にあたっては、導電路２１の構成及び構造が有効に機能するのは勿論である。
【００６９】
＜本発明の効果について＞
以上、図１ないし図８を参照しながら説明してきたように、ワイヤハーネス１５は、複数本の導電路２１を含んで構成される。導電路２１に関しては、この一本が複数に分割された分割導電路２３と、隣り合う分割導電路２３同士を繋ぐ導電性の繋ぎ部材２４及び端子金具２６とを含んで構成される。
【００７０】
端子金具２６は、本発明に係るものであって、例えば繋ぎ部材２４の接続端３２（撚り線導体３３）をクローズドバレル部３７に挿入し、そして、このクローズドバレル部３７に対して加締めを施すと、加締めの作用によりクローズドバレル部３７の内面では撚り線導体３３の酸化被膜が破壊され、導体接触部４２が接触する。従って、本発明によれば、異種金属同士の電気的な接続を良好に行うことができる。また、本発明によれば、クローズドバレル部３７の内面を覆うように樹脂コーティング部ＲＣが形成されることから、この樹脂コーティング部ＲＣを被覆部３４の外周面に対して密着させることができる。従って、水分の浸入を阻止することができる。別な言い方をすれば、電気的な接続部分を確実に止水することができる。
【００７１】
本発明は本発明の主旨を変えない範囲で種々変更実施可能なことは勿論である。
【符号の説明】
【００７２】
１…ハイブリッド自動車（自動車）、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下（車体）、  １２…ジャンクションブロック、  １３…ハーネス端末、  １４…シールドコネクタ、  １５…ワイヤハーネス、  １６…低圧バッテリー、  １７…自動車前部、  １８…補器、  １９…ハーネス本体、  ２０…コネクタ、  ２１…導電路、  ２２…外装部材、  ２３…分割導電路、  ２４…繋ぎ部材（アルミ電線）、  ２５…導電路接続部、  ２６…コネクタ端子、  ２７…本体部、  ２８…接続端、  ２９…棒状導体、  ３０…絶縁体、  ３１…本体部、  ３２…接続端、  ３３…撚り線導体、  ３４…被覆部（絶縁体）、  ３５…素線、  ３６…端子金具、  ３７…クローズドバレル部、  ３８…連結部、  ３９…底部、  ４０…開口部、  ４１…段部、  ４２…導体接触部、  ４３…密着部分、  ４４…貫通孔、  ４５…電気接触部、  ４６…コネクタハウジング、  ４７…蛇腹凹部、  ４８…蛇腹凸部、  ４９…管体取付部、  ５０…固定部、  ５１…ボルト挿通孔、  ５２…ボルト、  ５３…固定対象、  Ｃ…クランプ、  ＣＬ…中心線（挿入軸）、  Ｄ…加締め範囲、  ＲＣ…樹脂コーティング部、  Ｐ…プロテクタ（外装部材）
【図１】
2016136458.tif 000003
【図２】
2016136458.tif 000004
【図３】
2016136458.tif 000005
【図４】
2016136458.tif 000006
【図５】
2016136458.tif 000007
【図６】
2016136458.tif 000008
【図７】
2016136458.tif 000009
【図８】
2016136458.tif 000010